(57)【要約】【課題】画像投射装置が適正に投射を行わない場合に、その状態を把握し易くすること【解決手段】画像投射装置１１の投射領域２１を含む撮影領域２２を撮影するネットワーうカメラ１２と、ネットワークカメラから取得した投射領域の情報に基づいて、画像投射装置に異常があれば画像投射装置またはそれに接続された装置に前記画像投射装置の状態を通知する、又は前記異常を解消するための動作指示を出す、又は前記異常を解消するための操作を補助する補助画面を表示させるコンピュータ１３と、を有する。【選択図】図１
2015114532.tif 000002
【特許請求の範囲】
【請求項１】
画像を投射する画像投射装置の投射領域を含む撮影領域を撮影する撮影手段と、
前記撮影手段から取得した前記撮影領域の情報に基づいて、前記画像投射装置の状態に異常があれば前記画像投射装置またはそれに接続された装置に前記画像投射装置の状態を通知する、又は前記異常を解消するための動作指示を出す、又は前記異常を解消するための操作を補助する補助画面を表示させる情報処理手段と、
を有することを特徴とする管理装置。
【請求項２】
画像を投射する画像投射装置と、
前記画像投射装置の投射領域を含む撮影領域を撮影する撮影装置と、
前記撮影装置から取得した前記撮影領域の情報に基づいて、前記画像投射装置の状態に異常があれば前記画像投射装置またはそれに接続された装置に前記画像投射装置の状態を通知する、又は前記異常を解消するための動作指示を出す、又は前記異常を解消するための操作を補助する補助画面を表示させるコンピュータと、
を有することを特徴とする管理システム。
【請求項３】
画像を投射する画像投射装置と、
前記画像投射装置の投射領域を含む撮影領域を撮影する撮影装置と、
前記画像投射装置を操作する操作者である使用者に連絡をする第１の連絡ユニットと、
前記撮影装置から取得した前記撮影領域の情報に基づいて、前記画像投射装置の状態に異常があれば、前記第１の連絡ユニットに前記画像投射装置の状態を通知する、又は前記異常を解消するための動作指示を出す、又は前記異常を解消するための操作を補助する補助画面を表示させるコンピュータと、
を有することを特徴とする管理システム。
【請求項４】
画像を投射する画像投射装置と、
前記画像投射装置の投射領域を含む撮影領域を撮影する撮影装置と、
前記画像投射装置の保守点検を行う管理者に連絡をする第２の連絡ユニットと、
前記撮影装置から取得した前記撮影領域の情報に基づいて、前記画像投射装置の状態に異常があれば、前記第２の連絡ユニットに前記画像投射装置の状態を通知するコンピュータと、
を有することを特徴とする管理システム。
【発明の詳細な説明】
【技術分野】
【０００１】
本発明は、液晶プロジェクタ等の画像投射装置の状態を管理する管理装置および管理システムに関する。
【背景技術】
【０００２】
従来、パーソナルコンピュータ（ＰＣ）やＤＶＤプレーヤー等に接続された画像投射装置を使用する場合、障害や操作ミスで画像を投射できない場合に画像投射装置の状態を知ることが難しく、その結果、エラー状態からの復帰が困難または時間がかかっていた。画像投射装置には画像投射装置の状態を確認するためにＬＥＤが設けられているが、画像投射装置が天井付近などに備え付けられている場合は視認が難しく、また、ＬＥＤだけでは画像投射装置の状態を把握し難かった。更に、会議室での発表では、使用者は据え置きの画像投射装置の操作に慣れておらず、この問題は顕著であった。
【０００３】
特許文献１は、動作状態を示す状態情報と、スクリーンに投映された画像を撮影した撮影画像と、を取得・記憶するプロジェクタを提案している。使用中に障害が発生した場合、使用者はＵＳＢメモリを装着し、それをトリガとして、撮影画像データを状態情報からなる障害情報データと共にＵＳＢメモリに保存する。
【先行技術文献】
【特許文献】
【０００４】
【特許文献１】特開平１−６５３５号公報
【発明の概要】
【発明が解決しようとする課題】
【０００５】
しかしながら、特許文献１では、画像投射装置の異常検知手段が働かない場合や操作ミスによって投影できない場合には対応できない。
【０００６】
本発明は、画像投射装置が適正に投射を行わない場合に、その状態を把握し易くすることが可能な管理装置および管理システムを提供することを例示的な目的とする。
【課題を解決するための手段】
【０００７】
本発明の管理装置は、画像を投射する画像投射装置の投射領域を含む撮影領域を撮影する撮影手段と、前記撮影手段から取得した前記投射領域の情報に基づいて、前記画像投射装置の状態に異常があれば前記画像投射装置またはそれに接続された装置に前記画像投射装置の状態を通知する、又は前記異常を解消するための動作指示を出す、又は前記異常を解消するための操作を補助する補助画面を表示させる情報処理手段と、を有することを特徴とする。
【発明の効果】
【０００８】
本発明によれば、画像投射装置が適正に投射を行わない場合に、その状態を把握し易くすることが可能な管理装置および管理システムを提供することができる。
【図面の簡単な説明】
【０００９】
【図１】本実施形態の管理システムの概略構成図である。
【図２】本発明の管理システムのブロック図である。（実施例１）
【図３】図２の管理システムの動作を説明するためのフローチャートである。（実施例１）
【図４】本発明の管理システムのブロック図である。（実施例２）
【図５】図４の管理システムの動作を説明するためのフローチャートである。（実施例２）
【図６】本発明の管理システムのブロック図である。（実施例３）
【図７】図６の管理システムの動作を説明するためのフローチャートである。（実施例３）
【発明を実施するための形態】
【００１０】
図１は、本実施形態の管理システムの概略構成図である。管理システムは、画像投射装置１１、ネットワークカメラ１２、コンピュータ１３、ケーブル１４を有する。画像投射装置１１とネットワークカメラ１２はそれぞれコンピュータ１３にケーブル１４で接続されている。
【００１１】
画像投射装置１１は、不図示の光源からの照明光を、入力画像信号に応じて液晶パネルなどの画像変調素子にて変調し、不図示の投射光学系から画像を投射領域２１に投射する投射型表示装置である。画像投射装置１１は、例えば、液晶プロジェクタから構成される。入力画像信号は、画像投射装置１１に接続された、不図示のパーソナルコンピュータ（ＰＣ）やＤＶＤプレーヤーなどの画像出力装置から入力される信号である。投射領域２１は、スクリーンなどの被投射面における領域である。
【００１２】
ネットワークカメラ１２は、有線または無線のローカルエリアネットワーク（ＬＡＮ）機能を有するビデオカメラなどの撮影装置であり、撮影領域２２は画像投射装置１１と投射領域２１を覆うように設定されている。撮影領域２２は、画像投射装置１１の使用者を更に含んでもよい。本実施例のネットワークカメラ１２は、動画を撮影する動画撮影装置である。
【００１３】
コンピュータ１３は、ネットワークカメラ１２から投射領域２１の情報を取得し、画像投射装置１１の投射に異常を検出すると、画像投射装置１１の状態を解析して異常の有無を判断し、異常を検出すると必要な通知や動作を行う情報処理手段である。例えば、コンピュータ１３は、電源が入っているのに映像が出ない、色が偏っている、注意ダイアログが出ている、メニュー画面が何度も出る、などの画像の投射状態の異常が投射領域２１に存在するかどうかを判断する。
【００１４】
また、コンピュータ１３は、使用者の動きに異常を検出すると、画像投射装置１１の状態を解析して異常の有無を判断し、異常を検出すると必要な通知を行ってもよい。例えば、使用者が画像投射装置１１のリモコンを一定時間以上操作している、使用者の視線が画像投射装置１１に固定されている、など使用者の動きに異常があるかどうかを判断する。
【００１５】
コンピュータ１３は、画像投射装置１１の状態に異常があれば、必要な者（例えば、管理者）に自動的に画像投射装置１１の状態を通知する。また、コンピュータ１３は、異常を解消するために必要な動作（例えば、再起動、補助画面の表示や遠隔操作の提供）を自動的に行うことができる。あるいは、必要な動作を促す通知をしてもよい。通知は、画像投射装置１１またはそれに接続された装置（リモコンなど）、あるいは予め設定された装置（後述する管理者連絡部など）に対して行われればよい。
【００１６】
図１では、コンピュータ１３はＰＣとして構成されているが、マイクロコンピュータとして構成されてもよく、ネットワークカメラ１２や画像投射装置１１と一体化されてもよい。コンピュータ１３は管理システムの各部を管理する。ケーブル１４ａによる有線接続は、無線接続であってもよい。
【００１７】
以下、本発明の実施例について説明する。以下の説明において、「使用者」とは、画像投射装置１１を操作する操作者をいう。また、「管理者」とは、コンピュータ１３を操作する操作者や画像投射装置１１の保守点検を行う者をいう。
【実施例１】
【００１８】
図２は、実施例１の管理システムのブロック図である。図３は、実施例１の管理システム（コンピュータ１３）の動作を説明するためのフローチャートであり、「Ｓ」は「ステップ」、「Ｙ」は「はい（Ｙｅｓ）」、「Ｎ」は「Ｎ（いいえ）」を表す。図３に示すフローチャートはコンピュータに各ステップの機能を実行させるためのプログラムとして具現化が可能である。これは他の実施例のフローチャートにも同様に当てはまる。
【００１９】
図２に示す管理システムは、画像投射装置１１、ネットワークカメラ（撮影手段）１２、両者を接続するケーブル１４ａから構成されている。ネットワークカメラ１２の中に情報処理手段としての（マイクロ）コンピュータ１３が内蔵され、ネットワークカメラ１２は管理装置としても機能する。
【００２０】
コンピュータ１３は、ネットワークカメラ１２が撮影する映像を監視し続け、映像に所定の動きがあるかどうかを判断する（Ｓ１１）。なお、コンピュータ１３は、ネットワークカメラ１２から取得した撮影領域の情報に基づいて異常を判断できれば足りる。コンピュータ１３は、所定の動きがない場合は（Ｓ１１のＮ）Ｓ１１に戻る。一方、コンピュータ１３は、所定の動きがあると判断すると（Ｓ１１のＹ）、画像投射装置１１の現在の状態を示す情報を、画像投射装置１１の不図示の制御手段と通信手段とケーブル１４ａを介して取得する。また、コンピュータ１３は、取得した画像投射装置１１の状態とネットワークカメラ１２の映像から、画像投射装置１１の現在の状況を解析する（Ｓ１２）。
【００２１】
なお、映像の「所定の動き」とは、画像投射装置１１に異常を連想させる動きとして予め登録された動きであり、これは他の実施例でも同様である。例えば、使用者によるリモコン動作、画像投射装置１１に設けられたＬＥＤの点灯状態の変化、使用者の視線が画面ではなく画像投射装置を向いている、投射画像が出力されていないなどが該当するが、これらに限定されない。「所定の動き」はコンピュータ１３の不図示の記憶手段に格納され、映像に所定の動きがあるかどうかは登録された動きネットワークカメラ１２によって撮影された映像とのマッチングにより行うが、これに限定されるものではない。
【００２２】
コンピュータ１３は、解析した画像投射装置１１の状態と、ネットワークカメラ１２の撮影している映像から、使用者に画像投射装置１１の状態を通知すべきかどうかを判断する（Ｓ１３）。コンピュータ１３は、使用者に伝える必要がないと判断した場合には（Ｓ１３のＮ）Ｓ１１に戻り、映像の監視を続ける。
【００２３】
一方、コンピュータ１３は、使用者に伝えるべき状態と判断した場合は（Ｓ１３のＹ）、ケーブル１４ａを通して画像投射装置１１の現在の状態を画像投射装置１１の投射画面に表示する（Ｓ１４）。この表示は、画像投射装置１１の不図示の液晶表示部なされてもよいし、画像投射装置１１の投射領域２１に割り込み表示でなされてもよいし、画像投射装置１１に入力画像を供給するＰＣのディスプレイになされてもよい。画像投射装置１１が天井付近にあって視認が困難であれば、画像投射装置１１のリモコンへのアラームであってもよい。管理システムにおいて、使用者は、この表示方法の選択を予め画像投射装置１１またはコンピュータ１３に設定することができる。画像投射装置１１の不図示の記憶手段に設定された場合、コンピュータ１３は、その情報を画像投射装置１１との通信によって取得する。
【００２４】
本実施例によれば、使用者が必要な時に、自動で画像投射装置１１の状態を知ることができる。
【実施例２】
【００２５】
図４は、実施例２の管理システムのブロック図である。図５は、実施例２の管理システム（コンピュータ１３）の動作を説明するためのフローチャートである。
【００２６】
図４に示す管理システムは、画像投射装置１１、ネットワークカメラ１２、コンピュータ１３、使用者連絡部（第１の連絡ユニット）１５、管理者連絡部（第２の連絡ユニット）１６から構成されている。画像投射装置１１、ネットワークカメラ１２、使用者連絡部１５、管理者連絡部１６は、コンピュータ１３にそれぞれケーブル１４ｂ〜ｅで接続されている。
【００２７】
本実施例では、コンピュータ１３はネットワークカメラ１２とは別体に設けられており、コンピュータ１３は画像投射装置１１やネットワークカメラ１２と異なる部屋に設けられてもよい。
【００２８】
使用者連絡部１５は、使用者への連絡に使用される装置であり、連絡内容を表示する表示手段（ディスプレイなど）を含んでいる。管理者連絡部１６は、管理者への連絡に使用される装置であり、連絡内容を表示する表示手段（ディスプレイなど）を含んでいる。使用者連絡部１５や管理者連絡部１６は、キーボードや、マウスなどのポインティングデバイスを含む入力ユニットを含むか、それらの表示手段はタッチパネルであってもよい。これにより、表示手段に選択肢が表示された場合に使用者または管理者は適当な選択を行うことができる。例えば、使用者が補助操作を必要とするかどうかを選択する場合である。
【００２９】
コンピュータ１３は、図３と同様に、ネットワークカメラ１２が撮影する映像を監視し続け、映像に所定の動きがあるかどうかを判断する（Ｓ２１）。コンピュータ１３は、所定の動きがない場合は（Ｓ２１のＮ）Ｓ２１に戻る。一方、コンピュータ１３は、所定の動きがあると判断すると（Ｓ２１のＹ）、画像投射装置１１の現在の状態を示す情報を、画像投射装置１１の不図示の制御手段と通信手段とケーブル１４ｂを介して取得する。また、コンピュータ１３は、取得した画像投射装置１１の状態とネットワークカメラ１２の映像から、画像投射装置１１の現在の状況を解析する（Ｓ２２）。
【００３０】
コンピュータ１３は、解析した画像投射装置１１の状態と、ネットワークカメラ１２の撮影している映像に基づいて、管理者または使用者に画像投射装置１１の状態を伝えるべきかを判断する（Ｓ２３）。
【００３１】
コンピュータ１３は、管理者に伝える必要がないと判断した場合には（Ｓ２３のＮ）Ｓ２１に戻り、映像の監視を続ける。管理者に伝えるべき状態、例えば、使用者やコンピュータ１３の操作では復帰できない異常があると判断した場合（Ｓ２３のＹ：対管理者）、コンピュータ１３は、ケーブル１４ｅを通して管理者連絡部１６から管理者へ画像投射装置１１の状態を伝える（Ｓ２８）。その際、使用者連絡部１５は、使用者に管理者へ連絡した旨を連絡する。使用者に伝えるべき状態と判断した場合（Ｓ２３のＹ：対使用者）、コンピュータ１３はケーブル１４ｄを通して使用者連絡部１５から使用者へ画像投射装置１１の状態を伝え、さらに、補助操作を行うかどうかの選択を提示する（Ｓ２４）。
【００３２】
使用者が操作補助を行わないことを選択した場合には（Ｓ２５の操作終了）Ｓ２１に戻り、映像の監視を続ける。使用者が操作補助を行うことを選択した場合（Ｓ２５の操作補助）、操作方法を知らせるか（Ｓ２６）、使用者の望むような状態に自動操作を行うか（Ｓ２７）を選択できるようにしておき、使用者が選択した動作を行う。Ｓ２６は、異常を解消するための操作を補助する補助画面（「再起動してください」、「コントロールパネルの〜を…して下さい」など）を表示させれば足りる。Ｓ２７は、異常を解消するための動作指示（再起動する、異常解消動作を命令するなど）を出せば足りる。
【００３３】
Ｓ２６またはＳ２７の後で、コンピュータ１３は、問題が解決したかどうかを判断する（Ｓ２９）。この判断は代わりに使用者が判断してもよい。
【００３４】
コンピュータ１３は、問題が解決したと判断した場合には（Ｓ２９のＹ）Ｓ２１に戻り、映像の監視を続ける。問題が解決しなかった場合（Ｓ２９のいいえ）、コンピュータ１３は、ケーブル１４ｅを通して管理者連絡部１６から管理者へ問題が有ることを連絡し、使用者連絡部１５は、使用者に管理者へ連絡した旨を連絡する（Ｓ２８）。
【００３５】
本実施例によれば、画像投射装置１１の異常検知が働かない場合でも速やかに画像投射装置の状態を正確に知ることができる。また、使用者の操作ミスがあった場合に使用者の望んだ画像投射装置１１の動作状態を得ることができる場合もある。例えば、リモコンを使用可能にするボタンがオンになっていなかった場合に、「〜ボタンを押して下さい」という補助画面を表示し、これによってリモコンを使用可能にするなどである。
【００３６】
なお、本実施例では、Ｓ２４で使用者に異常を通知してから補助を選択させているが、Ｓ２４、Ｓ２５の代わりに、直ちにＳ２６またはＳ２７を行ってもよい。
【実施例３】
【００３７】
図６は、実施例３の管理システムのブロック図である。図７は、実施例３の管理システム（コンピュータ１３）の動作を説明するためのフローチャートである。
【００３８】
図６に示す管理システムは、画像投射装置１１、ネットワークカメラ１２、コンピュータ１３、管理者連絡部１６、電源制御部１７を有する。画像投射装置１１、ネットワークカメラ１２、管理者連絡部１６、電源制御部１７は、コンピュータ１３にそれぞれケーブル１４ｂ〜ｆで接続されている。本実施例は、画像投射装置１１を使用している場合、定期点検として動かしている場合等に適用できる。
【００３９】
コンピュータ１３は、画像投射装置１１の電源がオンであるかどうかの情報をケーブル１４ｂから入手する。そして、コンピュータ１３は、画像投射装置１１の電源がオンである時にネットワークカメラ１２の映像をケーブル１４ｃから入手して投射領域２１に映像が出ているかどうかを判断する（Ｓ３１）。
【００４０】
投射領域２１に映像が出ている場合は（Ｓ３１のＹ）Ｓ３１に戻り、映像の確認を続行する。一方、映像が出ていない場合（Ｓ３１のＮ）、コンピュータ１３は、画像投射装置１１の現在の状態を示す情報を画像投射装置１１からケーブル１４ｂを介して取得する（Ｓ３２）。
【００４１】
コンピュータ１３は、取得した情報に基づいて、画像投射装置１１の異常があるかどうか（エラーが出ているかどうか）を判断し（Ｓ３３）、エラーを出していない場合は（Ｓ３３のＮ）Ｓ３１に戻る。一方、エラーが出ている場合は（Ｓ３３のはい）、コンピュータ１３は、エラー復帰動作を行う（Ｓ３４）。「エラー復帰動作」とは、コンピュータ１３による画像投射装置１１の操作と、ケーブル１４ｆを通じて電源制御部１７を操作することによる画像投射装置１１の再起動である。
【００４２】
エラー復帰動作後、コンピュータ１３は画像投射装置１１がエラーを出しているかどうかを再度判断し（Ｓ３５）、エラーが出ていない場合は（Ｓ３５のＮ）Ｓ３１に戻る。一方、エラーが出ている場合は（Ｓ３５のＹ）ケーブル１４ｅと管理者連絡部１６を介して画像投射装置１１の異常を管理者に連絡する（Ｓ３６）。
【００４３】
本実施例によれば、画像投射装置１１の異常時に自動的に異常を回復することができ、異常が回復できない場合は管理者が異常を知ることが可能となる。
【００４４】
以上、本発明の好ましい実施例について説明したが、本発明はこれらの実施例に限定されず、その要旨の範囲内で種々の変形及び変更が可能である。例えば、実施例２、３は実施例１に示す管理装置に適用されてもよいし、実施例１は実施例２、３の管理システムに適用されてもよい。
【産業上の利用可能性】
【００４５】
本発明の管理システムは、液晶プロジェクタの用途に適用することができる。
【符号の説明】
【００４６】
１１…画像投射装置、１２…ネットワークカメラ（動画撮影手段）、１３…コンピュータ（情報処理手段）
【図２】
2015114532.tif 000003
【図４】
2015114532.tif 000004
【図６】
2015114532.tif 000005
【図１】
2015114532.tif 000006
【図３】
2015114532.tif 000007
【図５】
2015114532.tif 000008
【図７】
2015114532.tif 000009